(57)【要約】【課題】デザイン性を損なわず、かつ、使用に際しての信頼性が高い物掛け用のフック部を備えた冷蔵庫を提供することを目的とするものである。【解決手段】本体を構成する外周面あるいは内装面の任意箇所に凹所を形成し、この凹所に嵌合して面一に収納されるフック体を出没自在に軸着してなるフック部を構成する。またさらに、フック体を凹所方向に付勢する適宜な付勢手段を介在させる。【選択図】      図１
2004301432.tif 000002
【特許請求の範囲】
【請求項１】
本体を構成する外周面あるいは内装面の任意箇所に形成する凹所と、この凹所に嵌合して面一に収納されるフック体とからなり、このフック体を該フック体の一方端側が出没自在に展開する先端部をなすように前記凹所内に回動可能に軸着させてフック部を設けたことを特徴とする冷蔵庫。
【請求項２】
前記フック体を付勢手段を介して凹所方向に付勢したことを特徴とする請求項１に記載の冷蔵庫。
【請求項３】
前記フック体の軸側の端部が所定角度をもって前方に傾斜形成された操作部であり、該操作部と前記先端部とがシーソー動作するように軸着されることを特徴とする請求項１又は２に記載の冷蔵庫。
【請求項４】
前記操作部あるいは先端部の何れか一方が凹所から突出した状態に配備されることを特徴とする請求項３に記載の冷蔵庫。
【請求項５】
前面に扉を設けた冷蔵庫において、両側の側面板にフック部を設け、前面にはフック部を設けないことを特徴とする冷蔵庫。
【請求項６】
本体を構成する外周面に形成された凹所と、この凹所内に回動自在に軸着され、一方端をこの凹所から出没させ得るフック体とを備える冷蔵庫において、収納時に前記フック体は前記外周面に対して略面一になるように収納され、突出時に前記フック体は前記外周面よりとびだして物掛けとして機能することを特徴とする冷蔵庫。
【請求項７】
前記フック体を付勢手段により収納位置に付勢したことを特徴とする請求項６に記載の冷蔵庫。
【発明の詳細な説明】
【０００１】
【発明の属する技術分野】
本発明は、物掛け用のフックを備えてなる冷蔵庫に関するものである。
【０００２】
【従来の技術】
一般家庭等にあっては、冷蔵庫のドア表面や側面部、あるいは庫内壁面等に、吸盤式、マグネット式、貼着テープ式のフック具やクリップ具を取付けて、タオルや輪ゴムなどの物掛けとしているのが見受けられる。
【０００３】
しかしながら近頃の冷蔵庫は、ドア表面を緩やかな曲面にて成形し、その全体的なデザインに丸みを帯びさせたものや、装色にバリエーションを持たせたものなどが提案されており、使用者においては、前記したフック具やクリップ具の取扱いに一考を要しているのが現状である。
【０００４】
【発明が解決しようとする課題】
すなわち、ドア表面が曲面成形されているものであると、フック具等の取付けに安定性を欠き、また、取付けられたフック具の耐荷重が低下して物を掛けたときに取付け部が剥落してしまうなどといった虞れがあり、また、装色に特長を有するものである場合には、フック具等の配置を変えた場合などに前の取付け痕が残って見栄えが悪くなることなどが懸念されているのである。
【０００５】
本発明は、上記した問題点を解決することを課題とし、デザイン性を損なわず、かつ、使用に際しての信頼性が高い物掛け用のフックを備えた冷蔵庫を提供することを目的とするものである。
【０００６】
【課題を解決するための手段】
上記した目的を達成するために、本発明は、本体を構成する外周面あるいは内装面の任意箇所に凹所を形成し、この凹所に嵌合して面一に収納されるフック体を出没自在に軸着してなるフック部を備えた冷蔵庫を提供するというものである。
また、前記フック体を凹所方向に付勢してなるフック部とするというものである。
【０００７】
【発明の実施の形態】
以下、本発明の実施の形態を図１から図４を参照しながら詳細に説明する。
図１は本発明の冷蔵庫を示すものである。図示の如く本発明は、本体の外周面を構成しているドア体Ａ、引出式収納部Ｂ、側面板Ｃなどの表面の任意箇所にフック部１を設けるものである。
また、庫内の内装面の任意箇所にも同様なフック部を設けるものである。（図示では省略）。
【０００８】
前記フック部１は、外周面（あるいは内装面）の任意箇所に形成する凹所２と、この凹所２に嵌合するフック体３とで構成され、該フック体３を凹所２に軸着することにより、任意の鉤形状に設けてあるフック体先端部３１が展開して凹所２から出没自在となるように設けてある。
【０００９】
また、前記フック体３にあっては、凹所２に嵌合して収納された状態にあるときに周囲の外周面と面一をなすように、その外向面部３２の面装を予めに前記外周面に対応させて成形してある。
すなわち、該フック部１の配設対象箇所が前記ドア体Ａであって、その表面部が緩やかな曲面である場合には、前記フック体３の外向面部３２もその曲面と合致するように表装面が形成されるのである。
【００１０】
図２から図４は、本発明に係る前記フック部の実施形態を示すものである。
図２（ａ）（ｂ）は、前記フック部１の第一の実施形態を示すものであり、ドア体Ａの任意箇所に縦長に形成した凹所２に、幅寸法を同一に設けたフック体３を軸着して設けたものであり、前記フック体３の支軸３０は凹所２の下方に位置させ、フック体を突出回動させた時に、凹所２の開口下端で該フック体３を支持するようにしてある。
さらに（ｂ）に示したように、前記フック体３の両側面と、凹所２の内側面の互いに対応する箇所には、一方を凹形状、他方を凸形状に形成して弾力係止によって脱着される係止部３３，２３が形成してあり、これにより該フック体３の未使用時に先端部３１が凹所２から脱離しないような収納が図られている。なお、この係止部２３，３３は、必ずしも弾力係止式に限定されるものではなく、マグネット手段などからなる適宜な係止手段によって設けることもできる。
【００１１】
また、このように設けるフック部１にあっては、前記係止部２３，３３を設けていることから、前記フック体３の使用時に先端部３１を突出させ易くするために、指先が入る程度の隙間をフック体先端部３１と凹所２の開口上端との間に設けるか、あるいは、外向面側に指掛け用の窪み又は摘み等を設けておくことが好ましい。
【００１２】
従って、凹所２とフック体３の長さ設定は、該フック部の設計段階においてなされることが望ましく、さらには、前記フック体３は、その先端部３１から支軸３０までの長さ部分の肉厚を、凹所２の深さに一致させる必要はないものであり、その外向面部がドア体と面一に設けられれば、これも設計段階において使用時の許容耐荷重に基づいて適宜に設定して良いものとしている。
【００１３】
図３は、本発明に係るフック部の第二の実施形態を示すものである。
フック体３の外向面部３２を周囲面と面一に設ける点と、手指によりフック体先端部３１の突出回動を図る点は、先の実施形態と同じであるが、突出回動された前記フック体３を凹所側に復帰させる付勢手段を介在させて前記フック体３を軸着して構成するものである。
図示したように、フック体３の支軸近傍には凹所内方向に突出する脚部３４を形成し、この脚部３４と凹所２の内奥底部に取付けたバネ部材４とを接続して、該脚部を常時下方に引き下げるように付勢してある。
これにより、突出状態にあるフック体先端部３１に負荷が掛からなくなると、前記バネ部材４の作用によって凹所側に復帰して収納されるようになる。
尚、このような付勢手段は前記したバネ部材４に限定されるものではなく、また、支軸３０に対して付勢手段を介在させることも可能である。
【００１４】
図４は、本発明に係るフック部の第三の実施形態を示すものである。フック体３には、先端部３１の展開動作を促すための操作部３５と、フック体の回動を制止するための脚部３４とを形成する一方、凹所の内側面に、前記脚部と当接してフック体をドア体に所定角度を持って保持させるためのストッパー５を設けて構成してあり、該フック体３は、その先端部３１を凹所２の開口上端に合わせて凹所内側面に軸着され、支軸３０を介して先端部３１と操作部３５がシーソー動作するように軸着される。
【００１５】
従ってこのように設けたフック部１にあっては、フック体３の収納時には前記操作部３５が凹所２から突出した状態にあり、フック体使用時には、この操作部３５を凹所側に押し込んで該フック体１を回動させることによって先端部３１の展開を図り、ドア体Ａに突出させることができるようになる。
よって、支軸３０よりも下方から所定角度をもって前方に突出するように成形する操作部３５は、凹所に軸着された場合に恰もスイッチプレートの操作盤のように見做されるように設けることがデザイン的には望ましい。
【００１６】
そして、フック体先端部３１の展開は、前記脚部３４がストッパー５に当接した箇所で制止されることになり、この制止状態が、すなわちドア体Ａにおけるフック体の突出角度をなすものとなる。通常、前記フック体３がドア体Ａから水平に突出する位置となるように設定されるが、脚部の成形角度あるいはストッパーの配置を変えることによって、任意に設定することが可能である。
【００１７】
さらに、前記脚部３５あるいは支軸３０に対して第二の実施形態で説明したような適宜な付勢手段を介在させることにより、該フック体３を凹所２に復帰させることも当然に可能である。
【００１８】
当然ではあるが、本発明によるフック部１の形態は、図２から図４で例示したものに限定されるものではなく、フック体の外向面部を周囲面と面一に設けて凹所に軸着し、付勢手段をもってフック体を復帰可能とすること、フック体側面部と凹所の内側面の対応箇所に係止部を設けること、手指によりフック体先端部３１の突出回動を図ること、これらの組合せによる構成は、本発明の技術範囲に含まれるものである。
【００１９】
【発明の効果】
以上説明したように、本発明によれば、本体を構成する外周面あるいは内装面の任意箇所に凹所を形成し、この凹所に嵌合して面一に収納されるフック体を出没自在に軸着してなるフック部を設けたことにより、全体的のデザイン性を損なわず、かつ、使用に際しての信頼性が高い物掛け用のフックを備えた冷蔵庫となるといった優れた効果を奏するものとなる。
【図面の簡単な説明】
【図１】本発明の冷蔵庫の一例を示す説明図である。
【図２】本発明に係るフック部の第一の実施形態を略示した説明図である。
【図３】同じくフック部の第二の実施形態を略示した説明図である。
【図４】同じくフック部の第三の実施形態を略示した説明図である。
【符号の説明】
１  フック部
２  凹所
３  フック体
３０  支軸
３１  先端部
３２  外向面部
３４  脚部部
３５  操作部
４  付勢手段（バネ部材）
５  ストッパー
【図１】
2004301432.tif 000003
【図２】
2004301432.tif 000004
【図３】
2004301432.tif 000005
【図４】
2004301432.tif 000006